(57)【特許請求の範囲】
【請求項１】
筐体と、該筐体に回転可能に収容され、回転方向に磁化された磁石と、該磁石の外周に配置されたコイルとを備える回転磁気治療器であって、
前記回転磁気治療器が、前記筐体に固定された支持軸を備え、前記支持軸のまわりを前記磁石が回転するように構成され、
前記磁石の内部に、樹脂で構成された軸受部材を具備し、
前記軸受部材が、前記磁石の回転中心軸に沿って前記磁石の一端から他端に延び、前記軸受部材の延在方向の全長に亘って前記支持軸が挿通され、
前記軸受部材が、前記軸受部材の延在方向の略中央領域において前記支持軸と摺接する軸受部と、前記軸受部から前記軸受部材の両端側に延び、前記支持軸の外径および前記軸受部の内径よりも大きい内径を有する拡径部とを備え、
前記拡径部の、前記軸受部材の延在方向の長さが、前記軸受部の、前記軸受部材の延在方向の長さよりも長いことを特徴とする回転磁気治療器。
【請求項２】
前記軸受部材が、ポリプロピレン（ＰＰ）、ポリエチレンテレフタレート（ＰＥＴ）、ポリオキシメチレン（ＰＯＭ）、アクリロニトリルブタジエンスチレン（ＡＢＳ）、液晶ポリマー（ＬＣＰ）、ポリエーテルエーテルケトン（ＰＥＥＫ）、ポリアミド６６（ＰＡ６６）、ポリブチレンテレフタレート（ＰＢＴ）およびポリスチレン（ＰＳ）からなる群から選択される樹脂により形成されることを特徴とする請求項１記載の回転磁気治療器。
【請求項３】
前記軸受部材の開口部に、前記軸受部材の内側で生じる音が前記軸受部材の外側に伝搬するのを抑制する遮音部材が設けられることを特徴とする請求項１または２記載の回転磁気治療器。
【請求項４】
前記遮音部材が、ポリプロピレン（ＰＰ）、ポリエチレンテレフタレート（ＰＥＴ）、ポリオキシメチレン（ＰＯＭ）、アクリロニトリルブタジエンスチレン（ＡＢＳ）、液晶ポリマー（ＬＣＰ）、ポリエーテルエーテルケトン（ＰＥＥＫ）、ポリアミド６６（ＰＡ６６）、ポリブチレンテレフタレート（ＰＢＴ）およびポリスチレン（ＰＳ）からなる群から選択される樹脂により形成されることを特徴とする請求項３記載の回転磁気治療器。
【発明の詳細な説明】
【技術分野】
【０００１】
本発明は、回転磁気治療器に関する。より詳細には、磁石を回転することにより回転磁場を生じさせる回転磁気治療器に関する。
【背景技術】
【０００２】
従来、使用者の血行を良くし、肩こりや腰痛の症状を緩和するために、磁石が固定された絆創膏等を使用者の皮膚に貼り付けて使用する磁気治療器が広く普及している。そして、このように固定磁石を利用して固定磁場を生じさせる磁気治療器だけでなく、たとえば特許文献１に開示されているような、磁石を回転することにより変動磁場を生じさせる回転磁気治療器も提案されている。変動磁場は、固定磁場よりも高い磁気治療効果を有しているとして期待されている。
【０００３】
特許文献１の回転磁気治療器１０１は、図４（ａ）に示されるように、プラスチック製の固定枠１０２と、回転方向に２部分に区分して１方をＮ極１０３ａ、他方をＳ極１０３ｂに着磁した円柱状の磁性回転体１０３と、磁性回転体１０３に固定された回転軸１０４と、固定枠１０２の外周面に、回転軸１０４が延びる方向に捲回されたコイル１０５とを備えている。この回転磁気治療器１０１では、コイル１０５に正負のパルス電圧を印加することによって、コイル１０５に一定周期で正逆方向に切り替わる電流が流れ、一定周期で磁性回転体１０３が回転して、その周期で回転（変動）磁場が発生する。
【先行技術文献】
【特許文献】
【０００４】
【特許文献１】実公平３−１００９号公報
【発明の概要】
【発明が解決しようとする課題】
【０００５】
ところが、引用文献１の回転磁気治療器１０１では、図４（ｂ）に示されるように、磁性回転体１０３に固定された回転軸１０４の両端が、固定枠１０２に設けられた軸受部１０２ａ、１０２ｂの周壁にその全周が当接することなく、軸受部１０２ａ、１０２ｂに遊嵌されているため、磁性回転体１０３が回転した時に回転軸１０４の両端が軸受部１０２ａ、１０２ｂ内で震動し、動作音が生じるという問題を有している。これは、固定枠１０２の製造時点において、軸受部１０２ａ、１０２ｂに、高い同軸精度を持たせることが難しく、回転軸１０４の両端に対して十分なクリアランスを確保する必要があり、回転軸１０４の両端の直径よりも大きい直径を有するように軸受部１０２ａ、１０２ｂを設計・製造する必要があるためである。回転磁気治療器１０１は、使用者の就寝中に使用されることが多く、このようにして生じる動作音は、使用者の就寝の妨げになっていた。
【０００６】
本発明は、上記問題に鑑みなされたもので、従来の回転磁気治療器と比べて回転磁場発生時の動作音を低減することができる回転磁気治療器を提供することを目的とする。
【課題を解決するための手段】
【０００７】
本発明の回転磁気治療器は、筐体と、該筐体に回転可能に収容され、回転方向に磁化された磁石と、該磁石の外周に配置されたコイルとを備える回転磁気治療器であって、前記回転磁気治療器が、前記筐体に固定された支持軸を備え、前記支持軸のまわりを前記磁石が回転するように構成され、前記磁石の内部に、樹脂で構成された軸受部材を具備することを特徴とする。
【０００８】
また、前記軸受部材が、前記磁石の回転中心軸に沿って前記磁石の一端から他端に延び、前記軸受部材の延在方向の略中央領域に、前記支持軸と摺接する軸受部を備えることが好ましい。
【０００９】
また、前記軸受部材が、ポリプロピレン（ＰＰ）、ポリエチレンテレフタレート（ＰＥＴ）、ポリオキシメチレン（ＰＯＭ）、アクリロニトリルブタジエンスチレン（ＡＢＳ）、液晶ポリマー（ＬＣＰ）、ポリエーテルエーテルケトン（ＰＥＥＫ）、ポリアミド６６（ＰＡ６６）、ポリブチレンテレフタレート（ＰＢＴ）およびポリスチレン（ＰＳ）からなる群から選択される樹脂により形成されることが好ましい。
【００１０】
また、前記軸受部材の開口部に、前記軸受部材の内側で生じる音が前記軸受部材の外側に伝搬するのを抑制する遮音部材が設けられることが好ましい。
【００１１】
また、前記遮音部材が、ポリプロピレン（ＰＰ）、ポリエチレンテレフタレート（ＰＥＴ）、ポリオキシメチレン（ＰＯＭ）、アクリロニトリルブタジエンスチレン（ＡＢＳ）、液晶ポリマー（ＬＣＰ）、ポリエーテルエーテルケトン（ＰＥＥＫ）、ポリアミド６６（ＰＡ６６）、ポリブチレンテレフタレート（ＰＢＴ）およびポリスチレン（ＰＳ）からなる群から選択される樹脂により形成されることが好ましい。
【発明の効果】
【００１２】
本発明によれば、従来の回転磁気治療器と比べて回転磁場発生時の動作音を低減することができる回転磁気治療器を提供することができる。
【図面の簡単な説明】
【００１３】
【図１】本発明の一実施形態の回転磁気治療器の全体図であり、（ａ）は、外観を示す正面図であり、（ｂ）は、蓋体を取り除いた状態を示す正面図である。
【図２】図１の回転磁気治療器の磁石が設けられた部分の側面断面図である。
【図３】本発明の他の実施形態の回転磁気治療器の磁石が設けられた部分の側面断面図である。
【図４】従来の回転磁気治療器の磁石が設けられた部分を示す図であり、（ａ）は、正面図であり、（ｂ）は、側面断面図である。
【発明を実施するための形態】
【００１４】
以下、添付図面を参照して、本発明の実施形態の回転磁気治療器を詳細に説明する。
【００１５】
本発明の一実施形態に係る回転磁気治療器１は、図１（ａ）および図１（ｂ）に示されるように、筐体２と、筐体２に回転可能に収容され、回転方向に磁化された磁石３と、磁石３の外周に配置されたコイル４とを備えている。回転磁気治療器１は、コイル４に電流を流すことによって生じる磁界により磁石３を回転させて、回転（変動）磁場を生じさせる。回転磁気治療器１は、人体に適用されて、回転磁場の作用により、血行促進、肩こりや腰痛などの症状の緩和、代謝促進などの磁気治療効果をもたらす。回転磁気治療器１は、人体に適用して磁気治療効果をもたらすことができれば、適用される人体の部位は、肩や腰など人体のいかなる部位であってもよく、またその適用方法は、粘着テープにより人体の皮膚に直接貼り付ける方法や、サポータなどを介して人体の皮膚に取り付ける方法など、いかなる方法を採用してもよい。
【００１６】
筐体２は、磁石３を回転可能に収容する部材である。筐体２は、図１（ａ）、図１（ｂ）および図２に示されるように、回転磁気治療器１が図示しない人体の皮膚に取り付けられる際に、人体の皮膚に直接的または間接的に接触する底壁２ａと、底壁２ａとともに磁石３を収容する空間を形成する蓋体２ｂと、底壁２ａおよび／または蓋体２ｂに固定され、磁石３を回転可能に支持するための支持軸５が固定される固定枠２ｃとを備えている。ただし、筐体２は、磁石３を収容することができれば、図示された形状に限定されることはなく、他の形状であってもよい。また、筐体２は、特に限定されることはないが、外部から力を受けたときに変形して磁石３の回転を阻害することがないような強度を有し、磁石３の磁力線が容易に透過できる材料により成形されることが好ましく、その材料としては、たとえばアクリロニトリルブタジエンスチレン（ＡＢＳ）やポリカーボネートアクリロニトリルブタジエンスチレン（ＰＣ−ＡＢＳ）などを好適に用いることができる。
【００１７】
磁石３は、コイル４に通電されて生じる磁界により回転して、回転磁場を生じさせる部材である。磁石３は、図２に示されるように、筐体２に固定された支持軸５のまわりを回転するように筐体２に収容されている。磁石３は、本実施形態では、回転中心軸Ｘに沿って延びる、中空の略円筒状に形成されており、磁石３の内部（中空の空間内）に、樹脂で構成された軸受部材６を具備している。磁石３は、中空の空間内に具備された軸受部材６内に支持軸５が挿通されて、支持軸５に回転可能に支持される。
【００１８】
磁石３は、図２に示されるように、回転中心軸Ｘに対して略垂直な方向で、回転中心軸Ｘを中心に略対称となる位置に異なる磁極を有し、回転中心軸Ｘに対して略垂直な方向に沿って磁界を生じさせるように構成されている。より詳細には、磁石３は、回転方向に沿って２つの部分に区分けされて、一方がＮ極３ａ、他方がＳ極３ｂに磁化されている。したがって、磁石３は、回転中心軸Ｘを中心に回転すると、回転中心軸Ｘに対して略垂直な方向に沿った磁界が回転して、回転磁場を生成する。
【００１９】
磁石３は、本実施形態では回転方向に沿って２つの磁極３ａ、３ｂが設けられているが、回転方向に磁化されていればよく、たとえば回転方向に４つなどの偶数の部分に区分けされて、回転方向にＮ極およびＳ極が交互に配置されるように磁化されていてもよい。また、磁石３は、回転して回転磁場を生成することができれば、その形状や材質は特に限定されることはない。たとえば、磁石３の形状としては、略角筒状などの他の形状を採用することもできるし、磁石３の材質としては、たとえばフェライト、ネオジウム、サマリウムコバルト、人工磁性材料などを採用することができる。ただし、その出力レベルが、厚生労働省の認証基準である３５〜１８０ｍＴの範囲内が望ましい。
【００２０】
コイル４は、電流が流されることにより、磁石３を回転するための磁界を生成する部材である。コイル４は、図１（ｂ）および図２に示されるように、磁石３の回転中心軸Ｘに対して略平行になるように、磁石３の外周（筐体２の固定枠２ｃの外周）に巻回される。コイル４は、筐体２内に設けられた電源（電池）８から電気回路９を介して電流が流されることにより、コイル４の捲回方向に対して略垂直な方向に磁界を生成する。コイル４に流される電流は、電気回路９によって一定周期で正逆交互に切り替えられるので、生成する磁界の向きが一定周期で反転する。磁石３は、一定周期で反転する磁界により、一定周期で回転して、一定周期で回転する回転磁場を生成する。このような一定周期で回転する回転磁場は、上に例示した磁気治療効果に加えて、人体の組織内の細胞を刺激して、炎症などの細胞機能障害を治癒する効果をもたらすこともできる。ただし、回転磁気治療器１は、コイル４に電流を流すことにより磁石３を回転することができればよく、たとえば、異なる周期で正逆交互に電流方向を切り替えるなど、他の方法でコイル４に電流を流してもよい。コイル４としては、磁石３を回転するための磁界を生成することができるものであれば特に限定されることはなく、公知のエナメル線などを用いることができる。
【００２１】
支持軸５は、筐体２に固定され、軸受部材６を介して磁石３を回転可能に支持する部材である。より詳細には、支持軸５は、略円柱状に形成され、その延在方向が筐体２の底壁２ａに対して略平行になるように、筐体２に設けられた固定枠２ｃに両端が固定されている。支持軸５は、筐体２に固定されて、磁石３を回転可能に支持することができればよく、その形状、配置、材質は特に限定されることはない。たとえば、支持軸５の形状は、後述するように、軸受部材６が支持軸５のまわりを回転する場合には、軸受部材６が回転しやすいように略円柱状にすることができるし、軸受部材６のまわりを磁石３が回転する場合には、軸受部材６が支持軸５に固定しやすいように略角柱状にすることができる。また、支持軸５の配置は、人体の皮膚に対して略垂直な方向の磁界を得るために筐体２の底壁２ａに対して略平行であることが望ましいが、たとえば筐体２の底壁２ａに対して角度を有するものであってもよい。また、支持軸５の材質は、磁石３によって磁化されることを避けるためにオーステナイト系ステンレスなどの非磁性材料を用いることができる。
【００２２】
上述したように、回転磁気治療器１は、筐体２に固定された支持軸５を備え、樹脂で構成された軸受部材６を具備する磁石３が支持軸５のまわりを回転するように構成される。したがって、従来の磁気治療器のように、クリアランスを有するために動作音の要因となる軸受を筐体に設ける必要がなくなるので、従来の回転磁気治療器と比べて回転磁場発生時の動作音を低減することができる。
【００２３】
ここで、軸受部材６は、図２に示されるように、両端に開口部６ａ、６ａを有する中空の略円筒状に形成され、磁石３の回転中心軸Ｘと略同軸になるように磁石３の内部に設けられている。そして、軸受部材６の中空の内部空間に支持軸５が挿通され、支持軸５のまわりを磁石３および軸受部材６が一体的に回転するように構成されている。ただし、回転磁気治療器１は、磁石３が支持軸５のまわりを回転するように構成されていればよく、軸受部材６が支持軸５と一体となって固定されて、軸受部材６のまわりを磁石３が回転するように構成されてもよい。
【００２４】
軸受部材６は、図２に示されるように、磁石３の回転中心軸Ｘに沿って磁石３の一端から他端に延び、軸受部材６の延在方向の略中央領域に、支持軸５と摺接する軸受部６ｂを備えている。軸受部６ｂは、支持軸５の外径と略同一の内径を有し、磁石３の内径と略同一の外径を有している。支持軸５と摺接する軸受部６ｂが、軸受部材６の略中央領域に配置されることにより、磁石３の回転により生じる、支持軸５と軸受部材６との間の摩擦音が軸受部材６の外側に漏れるのを抑制することができる。軸受部材６はさらに、軸受部６ｂから軸受部材６の両端側に延び、支持軸５の外径および軸受部６ｂの内径よりも大きい内径を有する拡径部６ｃ、６ｃを備えている。拡径部６ｃ、６ｃは、磁石３の停止時および正常回転時に支持軸５と接触しないように構成されている。軸受部材６が拡径部６ｃ、６ｃを備えることにより、磁石３の正常回転時には、摩擦音が外部に漏れやすい軸受部材６の端部近傍において、磁石３と軸受部材６とが摺接して摩擦音が生じることがない。さらに、たとえ磁石３の回転中心軸Ｘが軸受部６ｂ近傍を中心に揺動したとしても、拡径部６ｃ、６ｃは支持軸５に接触するが、磁石３が支持軸５に直接接触することはないので、磁石３と支持軸５との接触による接触音の発生を回避することができる。
【００２５】
軸受部材６はさらに、両端部から、軸受部材６の径方向外側に延びるフランジ部６ｄ、６ｅを備えている。フランジ部６ｄ、６ｅは、内径が拡径部６ｃ、６ｃの内径と略同一で、外径が磁石３の内径よりも大きくなるように形成されている。軸受部材６がフランジ部６ｄ、６ｅを備えることにより、磁石３の内部から軸受部材６が抜け出すのを抑制することができるだけでなく、たとえ磁石３が回転中心軸Ｘに沿って固定枠２ｃ側に移動したとしても、磁石３が固定枠２ｃに直接接触することなく、フランジ部６ｄ、６ｅが固定枠２ｃに接触するので、磁石３と固定枠２ｃとの接触による接触音の発生を回避することができる。
【００２６】
軸受部材６は、本実施形態では磁石３と一体的に成形されているが、磁石３の内部に具備されていればよく、たとえば磁石３とは別体として成形されたあとに、磁石３の内部に圧入または接着されてもよい。また、軸受部材６は、樹脂により構成されていれば特にその材質は限定されるものではないが、磁石３を回転可能に支持する強度を有し、支持軸５との摩擦力が小さくなるような材質であることが望ましい。より具体的には、軸受部材６は、ポリプロピレン（ＰＰ）、ポリエチレンテレフタレート（ＰＥＴ）、ポリオキシメチレン（ＰＯＭ）、アクリロニトリルブタジエンスチレン（ＡＢＳ）、液晶ポリマー（ＬＣＰ）、ポリエーテルエーテルケトン（ＰＥＥＫ）、ポリアミド６６（ＰＡ６６）、ポリブチレンテレフタレート（ＰＢＴ）およびポリスチレン（ＰＳ）からなる群から選択される樹脂により形成されることが望ましい。
【００２７】
つぎに、本発明の回転磁気治療器の他の実施形態を図３に示す。図３では、上述した実施形態の回転磁気治療器１に含まれる部材と同様の機能を有する部材に同一の符号が付されている。図３に示された実施形態では、軸受部材６の開口部６ａ、６ａに、軸受部材６の内側で生じる音が軸受部材６の外側に伝搬するのを抑制する遮音部材７、７が設けられている。遮音部材７、７は、支持軸５の外径と略同一の内径と、軸受部材６の開口部６ａ、６ａ（図２参照）よりも大きな外径を有するリング状またはワッシャー状に形成され、軸受部材６の開口部６ａ、６ａを閉鎖するように、軸受部材６の両端に設けられている。軸受部材６の開口部６ａ、６ａに遮音部材７、７が設けられることにより、軸受部材６の内側で生じた音が軸受部材６の外側に漏れ出すのを抑制することができる。
【００２８】
遮音部材７は、軸受部材６の内側で生じる音が軸受部材６の外側に伝搬するのを抑制することができれば、その形状や材質は特に限定されない。遮音部材７は、本実施形態ではリング状またはワッシャー状に形成されているが、たとえば、軸受部材６の延在方向に延びる略円筒状や略角筒状に形成されてもよい。また、遮音部材７は、ポリプロピレン（ＰＰ）、ポリエチレンテレフタレート（ＰＥＴ）、ポリオキシメチレン（ＰＯＭ）、アクリロニトリルブタジエンスチレン（ＡＢＳ）、液晶ポリマー（ＬＣＰ）、ポリエーテルエーテルケトン（ＰＥＥＫ）、ポリアミド６６（ＰＡ６６）、ポリブチレンテレフタレート（ＰＢＴ）およびポリスチレン（ＰＳ）からなる群から選択される樹脂により形成することができる。
【実施例】
【００２９】
以下、本発明の回転磁気治療器を実施例に基づいてより具体的に説明するが、本発明の回転磁気治療器は実施例のみに限定されるものではない。
【００３０】
（実施例１）
図１（ａ）、図１（ｂ）および図２に示された実施形態の回転磁気治療器を作製した。  
【００３１】
（比較例１）
図４（ａ）および図４（ｂ）に示された回転磁気治療器を作製した。図４（ａ）および図４（ｂ）に示された部分以外は、実施例１と同じとした。
【００３２】
（動作音測定）
実施例１および比較例１の回転磁気治療器をそれぞれ、平坦な台の表面に筐体の底壁が面するように、両面テープにより台の上に固定し、回転磁気治療器から上方に２０ｍｍ離れた位置でその動作音を測定した。動作音の測定には、（株）小野測器製精密騒音計ＬＡ−４４４０を用い、得られたデータの解析には、（株）小野測器製ＦＦＴ解析ソフトウェアＤＳ−０２２１を用いた。動作音の測定は、実施例１および比較例１のそれぞれについて４回実施した。
【００３３】
【表１】
0006581468.tif 000002
【００３４】
表１に示すとおり、比較例１の回転磁気治療器の動作音の平均が４１．１ｄＢであるのに対し、実施例１の回転磁気治療器の動作音の平均が２６．６ｄＢであり、実施例１の回転磁気治療器は、比較例１の回転磁気治療器と比べて、動作音が低減されていることがわかる。
【符号の説明】
【００３５】
１、１１  回転磁気治療器
２  筐体
２ａ  底壁
２ｂ  蓋体
２ｃ  固定枠
２１  窓部
２２  スライド式スイッチ
３  磁石
３ａ  Ｎ極
３ｂ  Ｓ極
４  コイル
５  支持軸
６  軸受部材
６ａ  開口部
６ｂ  軸受部
６ｃ  拡径部
６ｄ、６ｅ  フランジ部
７  遮音部材
８  電源（電池）
９  電気回路
Ｘ  回転中心軸
【図１】
0006581468.tif 000003
【図２】
0006581468.tif 000004
【図３】
0006581468.tif 000005
【図４】
0006581468.tif 000006